(57)【要約】【課題】  従来の撮影装置では、グループ情報リストが画像データとは別個のデータとして記録媒体内に保存されるため、関連性のある複数の画像データに対して一括して画像処理を行うことができないことがある。【解決手段】  制御部２は、Ｓ２で、削除対象となるファイルＹに記録されているシャッタ回数情報Ｓを取得すると、Ｓ３で、ファイルＹと同一のシャッタ回数情報Ｓが記録された画像ファイル３０の中で先頭に位置するファイルＹｓ，フォルダＸｓを前方検索する。続いて、Ｓ４で、ファイルＹと同一のシャッタ回数情報Ｓが記録された画像ファイル３０の中で最後尾に位置するファイルＹｅ，フォルダＸｅを後方検索する。各検索が終了すると、Ｓ５で、フォルダＸｓのファイルＹｓから、フォルダＸｅのファイルＹｅまでの範囲の全ての画像ファイル３０を一括して削除するグループ削除処理を行う。【選択図】  図５
2010193137.tif 000002
【特許請求の範囲】
【請求項１】
被写体像を撮影する撮像手段と、
シャッタ幕の開閉により前記撮像手段の撮像面への被写体光の入射および遮蔽を制御するシャッタ手段と、
このシャッタ手段による前記シャッタ幕の開閉回数を計数するシャッタ回数計数手段と、
前記シャッタ手段による前記シャッタ幕の１回の開動作が行われている間に、前記撮像手段に被写体像を複数回撮影させる制御を行う撮影制御手段と、
前記撮像手段で撮影された被写体像の各画像データおよび前記撮影制御手段の制御によって前記撮像手段で撮影された複数の被写体像の各画像データに、各被写体像が撮影されたときに前記シャッタ回数計数手段によって計数された前記開閉回数情報を付した画像ファイルを記憶する記憶手段と、
この記憶手段に記憶された複数の画像ファイルの中から任意の画像ファイルを指定する指定手段と、
この指定手段によって指定された任意の画像ファイルと同一の前記開閉回数情報が付された画像ファイルが複数ある場合、前記記憶手段に記憶された複数の画像ファイルの中から同一の前記開閉回数情報が付された画像ファイルを検索する検索手段と、
この検索手段によって検索された同一の前記開閉回数情報が付された複数の画像ファイルに対して、一括して所定の画像処理を行う画像処理手段と
を備えていることを特徴とする撮影装置。
【請求項２】
請求項１に記載の撮影装置において、
前記記憶手段は、各画像ファイルに連続したファイル番号を付して記憶し、
前記検索手段は、前記指定手段によって指定された任意の画像ファイルからファイル番号が減少する方向および増加する方向に画像ファイルを検索し、前記任意の画像ファイルに付された前記開閉回数情報と異なる前記開閉回数情報が付された画像ファイルが検索されるまでの範囲の画像ファイルを、前記任意の画像ファイルと同一の前記開閉回数情報が付された画像ファイルとして検索する
ことを特徴とする撮影装置。
【請求項３】
請求項１に記載の撮影装置において、
前記記憶手段は、各画像ファイルに撮影日時情報を付して記憶し、
前記検索手段は、前記指定手段によって指定された任意の画像ファイルから撮影日時を遡る方向および撮影日時が経過する方向に画像ファイルを検索し、前記任意の画像ファイルに付された前記開閉回数情報と異なる前記開閉回数情報が付された画像ファイルが検索されるまでの範囲の画像ファイルを、前記任意の画像ファイルと同一の前記開閉回数情報が付された画像ファイルとして検索する
ことを特徴とする撮影装置。
【請求項４】
請求項２または請求項３に記載の撮影装置において、
前記記憶手段は、所定数の画像ファイルを１つのフォルダに記憶し、１つのフォルダに記憶した画像ファイル数が所定数に達すると、新たなフォルダに画像ファイルを記憶し、
前記検索手段は、異なるフォルダを跨って前記任意の画像ファイルと同一の前記開閉回数情報が付された画像ファイルを検索する
ことを特徴とする撮影装置。
【請求項５】
コンピュータを、
撮影装置の撮像手段で撮影された被写体像の各画像データ、および前記撮影装置のシャッタ幕の１回の開動作が行われている間に前記撮像手段で撮影された複数の被写体像の各画像データに、各被写体像が撮影されたときに前記撮影装置のシャッタ回数計数手段によって計数された前記シャッタ幕の開閉回数情報を付した画像ファイルを記憶する記憶手段と、
この記憶手段に記憶された複数の画像ファイルの中から任意の画像ファイルを指定する指定手段と、
この指定手段によって指定された任意の画像ファイルと同一の前記開閉回数情報が付された画像ファイルが複数ある場合、前記記憶手段に記憶された複数の画像ファイルの中から同一の前記開閉回数情報が付された画像ファイルを検索する検索手段と、
この検索手段によって検索された同一の前記開閉回数情報が付された複数の画像ファイルに対して、一括して所定の画像処理を行う画像処理手段と
して機能させるためのプログラム。
【請求項６】
請求項５に記載のプログラムにおいて、
前記記憶手段は、各画像ファイルに連続したファイル番号を付して記憶し、
前記検索手段は、前記指定手段によって指定された任意の画像ファイルからファイル番号が減少する方向および増加する方向に画像ファイルを検索し、前記任意の画像ファイルに付された前記開閉回数情報と異なる前記開閉回数情報が付された画像ファイルが検索されるまでの範囲の画像ファイルを、前記任意の画像ファイルと同一の前記開閉回数情報が付された画像ファイルとして検索する
ことを特徴とするプログラム。
【請求項７】
請求項５に記載のプログラムにおいて、
前記記憶手段は、各画像ファイルに撮影日時情報を付して記憶し、
前記検索手段は、前記指定手段によって指定された任意の画像ファイルから撮影日時を遡る方向および撮影日時が経過する方向に画像ファイルを検索し、前記任意の画像ファイルに付された前記開閉回数情報と異なる前記開閉回数情報が付された画像ファイルが検索されるまでの範囲の画像ファイルを、前記任意の画像ファイルと同一の前記開閉回数情報が付された画像ファイルとして検索する
ことを特徴とするプログラム。
【請求項８】
請求項６または請求項７に記載のプログラムにおいて、
前記記憶手段は、所定数の画像ファイルを１つのフォルダに記憶し、１つのフォルダに記憶した画像ファイル数が所定数に達すると、新たなフォルダに画像ファイルを記憶し、
前記検索手段は、異なるフォルダを跨って前記任意の画像ファイルと同一の前記開閉回数情報が付された画像ファイルを検索する
ことを特徴とするプログラム。
【発明の詳細な説明】
【技術分野】
【０００１】
本発明は、シャッタ幕の１回の開動作が行われている間に撮像手段に被写体像を複数回撮影させる撮影装置、およびこの撮影装置によって撮影された被写体像の画像データを扱うプログラムに関するものである。
【背景技術】
【０００２】
従来、このような撮影装置としては、例えば、特許文献１に開示される撮影装置がある。この撮影装置は、連続的に複数の画像を撮影する連写機能を備えている。連写機能によって撮影された複数の画像は、関連性のあるものとして同一のグループ情報が付されて、撮影装置の記録媒体に設けられたグループ情報リストに登録される。撮影された複数の画像の画像データのグループ情報リストへの登録は、各画像データの記憶アドレスがデータアドレス登録欄に記録されると共に、複数の画像が関連性のある画像であることを表すグループ番号が連写欄に記録されることで、行われる。連写機能によって撮影された関連性のある複数の画像の中の任意の画像に対して、削除等の画像処理を指示する操作が行われると、グループ情報リストが参照されて、指示された任意の画像と同じグループ番号が記録された全ての画像の記憶アドレスが検索され、検索された記憶アドレスの複数の画像に対して一括して同じ画像処理が行われる。
【特許文献１】特開平１１−２３２４４０号公報
【発明の開示】
【発明が解決しようとする課題】
【０００３】
しかしながら、上記従来の撮影装置では、グループ情報リストが画像データとは別個のデータとして記録媒体内に保存される。このため、例えば、記録媒体の交換などによってグループ情報リストを記録したファイルが画像データを記録したファイルと別ファイルになってしまった場合、グループ情報リストに基づいて関連性のある複数の画像データの検索を行うことが不可能となり、関連性のある複数の画像データに対して一括して画像処理を行うことができなくなってしまう。
【課題を解決するための手段】
【０００４】
本発明はこのような課題を解決するためになされたもので、
被写体像を撮影する撮像手段と、
シャッタ幕の開閉により撮像手段の撮像面への被写体光の入射および遮蔽を制御するシャッタ手段と、
このシャッタ手段によるシャッタ幕の開閉回数を計数するシャッタ回数計数手段と、
シャッタ手段によるシャッタ幕の１回の開動作が行われている間に、撮像手段に被写体像を複数回撮影させる制御を行う撮影制御手段と、
撮像手段で撮影された被写体像の各画像データおよび撮影制御手段の制御によって撮像手段で撮影された複数の被写体像の各画像データに、各被写体像が撮影されたときにシャッタ回数計数手段によって計数された開閉回数情報を付した画像ファイルを記憶する記憶手段と、
この記憶手段に記憶された複数の画像ファイルの中から任意の画像ファイルを指定する指定手段と、
この指定手段によって指定された任意の画像ファイルと同一の開閉回数情報が付された画像ファイルが複数ある場合、記憶手段に記憶された複数の画像ファイルの中から同一の開閉回数情報が付された画像ファイルを検索する検索手段と、
この検索手段によって検索された同一の開閉回数情報が付された複数の画像ファイルに対して、一括して所定の画像処理を行う画像処理手段と
を備えて撮影装置を構成した。
【０００５】
この構成によれば、撮像手段により撮影された被写体像の各画像データに、各被写体像が撮影されたときにシャッタ回数計数手段によって計数された異なる開閉回数情報を付した画像ファイルが、記憶手段に記憶される。また、シャッタ手段によるシャッタ幕の１回の開動作が行われる間に撮影制御手段の制御によって撮影された複数の被写体像の各画像データに、各被写体像が撮影されたときにシャッタ回数計数手段によって計数された同一の開閉回数情報を付した画像ファイルが、記憶手段に記憶される。記憶手段に記憶された複数の画像ファイルの中から任意の画像ファイルが指定手段により指定された場合、指定された任意の画像ファイルと同一の開閉回数情報が付された画像ファイルが複数あると、検索手段により、記憶手段に記憶された画像ファイルの中から同一の開閉回数情報が付された複数の画像ファイルが検索される。検索された複数の画像ファイルは、画像処理手段により、一括して所定の画像処理が行われる。このため、シャッタ幕の１回の開動作が行われる間に撮影制御手段の制御によって撮影された関連性のある複数の画像ファイルの検索を、各画像ファイルに付された開閉回数情報を参照して行うことが可能となる。従って、従来の撮影装置のように、画像ファイルとは別にグループ情報リストを記録しておく必要がなくなる。この結果、従来の撮影装置のように、画像ファイルと別に記録されるグループ情報リストがなければ、関連性のある画像ファイルの検索や一括処理を行えなくなってしまう不都合は、生じないようになる。また、画像ファイルを記憶手段に記録する際、従来の撮影装置のように、画像ファイルに関する情報をグループ情報リストに別途に登録する処理は必要ないため、画像ファイルを記憶手段に記録する処理を高速化でき、撮影制御手段の制御によって短時間により多くの被写体像を撮影手段に撮影させることが可能になる。
【０００６】
また、本発明は、
記憶手段が、各画像ファイルに連続したファイル番号を付して記憶し、
検索手段が、指定手段によって指定された任意の画像ファイルからファイル番号が減少する方向および増加する方向に画像ファイルを検索し、任意の画像ファイルに付された開閉回数情報と異なる開閉回数情報が付された画像ファイルが検索されるまでの範囲の画像ファイルを、任意の画像ファイルと同一の開閉回数情報が付された画像ファイルとして検索することを特徴とする。
【０００７】
この構成によれば、シャッタ幕の１回の開動作が行われる間に撮影制御手段の制御によって撮影されて同一の開閉回数情報が付された複数の画像ファイルは、連続したファイル番号が付されて、記憶手段に記録される。記憶手段に記録された複数の画像ファイルの中から任意の画像ファイルが指定手段により指定された場合、指定された任意の画像ファイルと同一の開閉回数情報が付された画像ファイルが複数あると、検索手段により、指定された任意の画像ファイルからファイル番号が減少する方向および増加する方向に画像ファイルが検索され、指定された任意の画像ファイルに付された開閉回数情報と異なる開閉回数情報が付された画像ファイルが検索されるまでの範囲の画像ファイルが、指定された任意の画像ファイルと同一の開閉回数情報が付された画像ファイルとして検索される。
【０００８】
また、本発明は、
記憶手段が、各画像ファイルに撮影日時情報を付して記憶し、
検索手段が、指定手段によって指定された任意の画像ファイルから撮影日時を遡る方向および撮影日時が経過する方向に画像ファイルを検索し、任意の画像ファイルに付された開閉回数情報と異なる開閉回数情報が付された画像ファイルが検索されるまでの範囲の画像ファイルを、任意の画像ファイルと同一の開閉回数情報が付された画像ファイルとして検索することを特徴とする。
【０００９】
この構成によれば、シャッタ幕の１回の開動作が行われる間に撮影制御手段の制御によって撮影されて同一の開閉回数情報が付された複数の画像ファイルは、撮影日時情報が付されて、記憶手段に記録される。記憶手段に記録された複数の画像ファイルの中から任意の画像ファイルが指定手段により指定された場合、指定された任意の画像ファイルと同一の開閉回数情報が付された画像ファイルが複数あると、検索手段により、指定された任意の画像ファイルから撮影日時を遡る方向および撮影日時が経過する方向に画像ファイルが検索され、指定された任意の画像ファイルに付された開閉回数情報と異なる開閉回数情報が付された画像ファイルが検索されるまでの範囲の画像ファイルが、指定された任意の画像ファイルと同一の開閉回数情報が付された画像ファイルとして検索される。
【００１０】
また、本発明は、
記憶手段が、所定数の画像ファイルを１つのフォルダに記憶し、１つのフォルダに記憶した画像ファイル数が所定数に達すると、新たなフォルダに画像ファイルを記憶し、
検索手段が、異なるフォルダを跨って任意の画像ファイルと同一の開閉回数情報が付された画像ファイルを検索することを特徴とする。
【００１１】
この構成によれば、同一の開閉回数情報が付された複数の画像ファイルが記憶手段によって１つのフォルダに記憶される際、このフォルダに記憶された画像ファイル数が所定数に達すると、同一の開閉回数情報が付された残りの画像ファイルは新たなフォルダに記憶される。これらフォルダに跨って記憶手段に記憶された同一の開閉回数情報が付された複数の画像ファイルの中から、任意の画像ファイルが指定手段により指定されると、検索手段により、異なるフォルダを跨って、同一の開閉回数情報が付された画像ファイルが検索される。このため、複数のフォルダに跨って同一の開閉回数情報が付された画像ファイルが記憶されている場合であっても、検索手段により、指定手段によって指定された任意の画像ファイルと同一の開閉回数情報が付された画像ファイルが各フォルダを跨って漏れなく検索される。
【００１２】
また、本発明は、コンピュータを、
撮影装置の撮像手段で撮影された被写体像の各画像データ、および撮影装置のシャッタ幕の１回の開動作が行われている間に撮像手段で撮影された複数の被写体像の各画像データに、各被写体像が撮影されたときに撮影装置のシャッタ回数計数手段によって計数されたシャッタ幕の開閉回数情報を付した画像ファイルを記憶する記憶手段と、
この記憶手段に記憶された複数の画像ファイルの中から任意の画像ファイルを指定する指定手段と、
この指定手段によって指定された任意の画像ファイルと同一の開閉回数情報が付された画像ファイルが複数ある場合、記憶手段に記憶された複数の画像ファイルの中から同一の開閉回数情報が付された画像ファイルを検索する検索手段と、
この検索手段によって検索された同一の開閉回数情報が付された複数の画像ファイルに対して、一括して所定の画像処理を行う画像処理手段と
して機能させるプログラムを構成した。
【００１３】
この構成によれば、撮影装置の撮像手段により撮影された被写体像の各画像データに、各被写体像が撮影されたときに撮影装置のシャッタ回数計数手段によって計数された異なる開閉回数情報を付した画像ファイルが、コンピュータの記憶手段に記憶される。また、撮影装置のシャッタ幕の１回の開動作が行われる間に撮像手段で撮影された複数の被写体像の各画像データに、各被写体像が撮影されたときに撮影装置のシャッタ回数計数手段によって計数された同一の開閉回数情報を付した画像ファイルが、コンピュータの記憶手段に記憶される。この記憶手段に記憶された複数の画像ファイルの中から任意の画像ファイルがコンピュータの指定手段により指定された場合、指定された任意の画像ファイルと同一の開閉回数情報が付された画像ファイルが複数あると、コンピュータの検索手段により、記憶手段に記憶された画像ファイルの中から同一の開閉回数情報が付された複数の画像ファイルが検索される。検索された画像ファイルは、コンピュータの画像処理手段により、一括して所定の画像処理が行われる。このため、撮影装置からの画像ファイルの転送などによって画像ファイルが記憶されたコンピュータにおいても、シャッタ幕の１回の開動作が行われる間に撮影された複数の画像ファイルの検索を、各画像ファイルに付された開閉回数情報を参照して行うことが可能となる。従って、従来のように、画像ファイルとは別にグループ情報リストを記録しておく必要がなくなる。この結果、コンピュータにおいても、画像ファイルと別に記録されるグループ情報リストがなければ、関連性のある画像ファイルの検索や一括処理を行えなくなってしまう不都合は、生じないようになる。
【００１４】
また、本発明は、
記憶手段が、各画像ファイルに連続したファイル番号を付して記憶し、
検索手段が、指定手段によって指定された任意の画像ファイルからファイル番号が減少する方向および増加する方向に画像ファイルを検索し、任意の画像ファイルに付された開閉回数情報と異なる開閉回数情報が付された画像ファイルが検索されるまでの範囲の画像ファイルを、任意の画像ファイルと同一の開閉回数情報が付された画像ファイルとして検索する
プログラムであることを特徴とする。
【００１５】
この構成によれば、シャッタ幕の１回の開動作が行われる間に撮影されて同一の開閉回数情報が付された複数の画像ファイルは、連続したファイル番号が付されて、コンピュータの記憶手段に記憶される。記憶された複数の画像ファイルの中から任意の画像ファイルが、コンピュータの指定手段により指定された場合、指定された任意の画像ファイルと同一の開閉回数情報が付された画像ファイルが複数あると、コンピュータの検索手段により、指定された任意の画像ファイルからファイル番号が減少する方向および増加する方向に画像ファイルが検索され、指定された任意の画像ファイルに付された開閉回数情報と異なる開閉回数情報が付された画像ファイルが検索されるまでの範囲の画像ファイルが、指定された任意の画像ファイルと同一の開閉回数情報が付された画像ファイルとして検索される。
【００１６】
また、本発明は、
記憶手段が、各画像ファイルに撮影日時情報を付して記憶し、
検索手段が、指定手段によって指定された任意の画像ファイルから撮影日時を遡る方向および撮影日時が経過する方向に画像ファイルを検索し、任意の画像ファイルに付された開閉回数情報と異なる開閉回数情報が付された画像ファイルが検索されるまでの範囲の画像ファイルを、任意の画像ファイルと同一の開閉回数情報が付された画像ファイルとして検索する
プログラムであることを特徴とする。
【００１７】
この構成によれば、シャッタ幕の１回の開動作が行われる間に撮影されて同一の開閉回数情報が付された複数の画像ファイルは、撮影日時情報が付されて、コンピュータの記憶手段に記憶される。記憶された複数の画像ファイルの中から任意の画像ファイルが、コンピュータの指定手段により指定された場合、指定された任意の画像ファイルと同一の開閉回数情報が付された画像ファイルが複数あると、コンピュータの検索手段により、指定された任意の画像ファイルから撮影日時を遡る方向および撮影日時が経過する方向に画像ファイルが検索され、指定された任意の画像ファイルに付された開閉回数情報と異なる開閉回数情報が付された画像ファイルが検索されるまでの範囲の画像ファイルが、指定された任意の画像ファイルと同一の開閉回数情報が付された画像ファイルとして検索される。
【００１８】
また、本発明は、
記憶手段が、所定数の画像ファイルを１つのフォルダに記憶し、１つのフォルダに記憶した画像ファイル数が所定数に達すると、新たなフォルダに画像ファイルを記憶し、
検索手段が、異なるフォルダを跨って任意の画像ファイルと同一の開閉回数情報が付された画像ファイルを検索する
プログラムであることを特徴とする。
【００１９】
この構成によれば、同一の開閉回数情報が付された複数の画像ファイルがコンピュータの記憶手段によって１つのフォルダに記憶される際、このフォルダに記憶された画像ファイル数が所定数に達すると、同一の開閉回数情報が付された残りの画像ファイルは新たなフォルダに記憶される。これらフォルダに跨ってコンピュータの記憶手段に記憶された同一の開閉回数情報が付された複数の画像ファイルの中から、任意の画像ファイルがコンピュータの指定手段により指定されると、コンピュータの検索手段により、異なるフォルダを跨って、同一の開閉回数情報が付された画像ファイルが検索される。このため、複数のフォルダに跨って同一の開閉回数情報が付された画像ファイルがコンピュータの記憶手段に記憶されている場合であっても、検索手段により、指定手段によって指定された任意の画像ファイルと同一の開閉回数情報が付された画像ファイルが各フォルダを跨って漏れなく検索される。
【発明の効果】
【００２０】
本発明による撮影装置またはプログラムによれば、上記のように、シャッタ幕の１回の開動作が行われる間に撮影制御手段の制御によって撮影された関連性のある複数の画像ファイルの検索を、各画像ファイルに付された開閉回数情報を参照して行うことが可能となるため、画像ファイルとは別にグループ情報リストを記録しておく必要がなくなる。この結果、従来の撮影装置のように、画像ファイルと別に記録されるグループ情報リストがなければ、関連性のある画像ファイルの検索や一括処理を行えなくなってしまう不都合は、生じないようになる。
【発明を実施するための最良の形態】
【００２１】
次に、本発明による撮影装置をデジタルカメラに適用した場合における最良の実施の形態について説明する。
【００２２】
図１は、この最良の実施の形態によるデジタルカメラ１の構成の概略を示すブロック図である。
【００２３】
デジタルカメラ１は、制御部２、ＥＥＰＲＯＭ（Electrically Erasable Programmable Ｒead Ｏnly Ｍemory）などで構成されるフラッシュメモリ３、およびＲＡＭ（Random Access Memory）などで構成されるバッファメモリ４を備えている。フラッシュメモリ３には、制御部２が種々の制御を行う際に参照される制御プログラムなどが格納されている。制御部２は、ＣＰＵ（Central Processing Unit）を含んで構成され、フラッシュメモリ３に格納されている制御プログラムに従い、バッファメモリ４を一時記憶作業領域として回路各部の制御を行い、デジタルカメラ１の種々の装置機能を作動させる。
【００２４】
光学系を構成するレンズ５に入射した被写体光の光量は測光部６によって検出される。制御部２は、測光部６で検出された光量に基づいて絞り駆動部７を駆動制御し、絞り８の開口部８ａの開口量を調節する。レンズ５に入射して絞り８の開口部８ａを通過した被写体光は、シャッタ部９に到達する。シャッタ部９は、開閉自在に設けられた図示しないシャッタ幕を備えて構成されている。シャッタ部９は、撮影者のレリーズ操作に基づいて、予め設定されたシャッタ速度に応じた時間だけシャッタ幕を開き、被写体光を通過させる。シャッタ幕を通過した被写体光は、ＣＣＤ（Charge Coupled Device）やＣＭＯＳ（Complementary Metal Oxide Semiconductor）などで構成される撮像素子１０の撮像面１０ａに入射し、撮像面１０ａに被写体像を結像する。シャッタ部９は、シャッタ幕の開閉動作により撮像素子１０の撮像面１０ａへの被写体光の入射および遮蔽を制御するシャッタ手段を構成している。また、撮像素子１０は、被写体像を撮影する撮像手段を構成している。
【００２５】
レンズ駆動部１１は、制御部２からの駆動信号に従ってレンズ５を光軸方向に移動させ、撮像素子１０の撮像面１０ａに投影される被写体像の焦点を調節する。撮像素子１０の撮像面１０ａに蓄えられた電荷は、タイミングジェネレータ（ＴＧ）１２によって生成されるタイミングパルスに従い、撮像信号として信号処理部１３へ出力される。信号処理部１３は、入力された撮像信号に対して所定のアナログ信号処理を施した後、デジタル信号に変換する。制御部２は、ホワイトバランス処理やガンマ補正といった所定の画像処理を行い、画像処理を行った画像データを、バッファメモリ４に画像ファイルとして格納すると共に、記憶媒体インターフェイス（Ｉ／Ｆ）回路１４を介して、デジタルカメラ１の筐体に着脱自在に設けられた記憶媒体１５に記録する。
【００２６】
制御部２には、バスを介して、背面モニタ１６およびＰＣインターフェイス（Ｉ／Ｆ）回路１７が接続されている。背面モニタ１６は、ＴＦＴ（Thin Film Transistor）液晶からなり、撮像素子１０で撮像される被写体像やデジタルカメラ１の種々の設定項目などを表示する。撮影画像の再生時には、記憶媒体１５に格納された画像データは、制御部２によって記憶媒体インターフェイス回路１４を介して読み出されて、バッファメモリ４に格納される。バッファメモリ４に格納された画像データは、制御部２の制御の下、背面モニタ１６の解像度に適した画像信号に変換され、背面モニタ１６に静止画や動画として表示される。また、ＰＣインターフェイス回路１７は、デジタルカメラ１とＵＳＢ（Universal Serial Bus）接続されるパーソナルコンピュータ（ＰＣ）などの外部機器との間で、ＵＳＢ規格に従った通信を行うインターフェース回路を構成している。
【００２７】
また、制御部２には、シャッタボタン１８、マルチセレクタ１９および削除ボタン２０が接続されている。
【００２８】
シャッタボタン１８は、半押しされると、レンズ駆動部１１にレンズ５を駆動させて被写体像の焦点を調節するオートフォーカス（Auto Focus）機能を作動させ、全押しされると、予め設定されたシャッタ速度でシャッタ部９のシャッタ幕を開かせ、被写体像を撮像素子１０の撮像面１０ａに所定時間露光させて、被写体像の撮像を行わせる。マルチセレクタ１９は、上下左右に操作される環状に形成されたボタンからなり、マルチセレクタ１９の内側には、図示しない決定ボタンが設けられている。マルチセレクタ１９が上下左右に操作されることにより、メニュー画面におけるメニュー項目の選択や、背面モニタ１６に表示させる画像ファイルの選択などが行われる。マルチセレクタ１９の操作によりメニュー項目や画像ファイルが選択された状態で決定ボタンが操作されると、選択されたメニュー項目や背面モニタ１６に表示させる画像ファイルが決定される。マルチセレクタ１９は、記憶媒体１５に記憶された複数の画像ファイルの中から任意の画像ファイルを指定する指定手段を構成している。
【００２９】
また、削除ボタン２０は、撮影画像の再生中に操作されると再生画像ファイルの削除確認画面を背面モニタ１６に表示させ、削除確認画面が表示されているときに再度操作されると、再生画像ファイルを削除させる。本実施形態では、削除ボタン２０は、撮影画像の再生中に操作されることで再生されている一の画像ファイルを削除する機能の他に、関連性のある画像ファイルを一括して削除するグループ削除機能を有している。
【００３０】
また、制御部２は、デジタルカメラ１が製造されてからのシャッタ幕の累計開閉動作回数、つまり累計シャッタ回数を計数し、計数した累計シャッタ回数をフラッシュメモリ３に設けられたシャッタ回数カウンタに格納する。シャッタ回数カウンタは、シャッタ幕が１回開閉するたびに“１”ずつカウントアップされる。累計シャッタ回数の情報は、デジタルカメラ１のメンテナンス作業時などにデジタルカメラ１の耐久性を判断する指標として用いられる。制御部２およびフラッシュメモリ３は、シャッタ部９によるシャッタ幕の開閉回数を計数するシャッタ回数計数手段を構成している。
【００３１】
本実施形態のデジタルカメラ１は、１回のシャッタボタン１８の操作で複数の被写体像を連続して撮影する高速連写撮影モードやオートブラケット（Auto Bracket）撮影モードを備えている。高速連写撮影モードが設定されているときには、シャッタボタン１８の１回の操作に応じてシャッタ部９においてシャッタ幕の１回の開動作が行われている間に、制御部２の制御により、撮像素子１０によって複数の被写体像が連続するコマとして高速連写撮影される。この高速連写撮影モードにおける１回の撮影では、メニュー画面において予め設定されたコマ数、例えば１秒当たり３０コマの被写体像が撮影される。また、オートブラケット撮影モードが設定されているときには、シャッタボタン１８の１回の操作に応じてシャッタ部９においてシャッタ幕の１回の開動作が行われている間に、絞り８の開口部８ａの開口量の調節などによって露光量が段階的に変化して、撮像素子１０によって露光量が異なる複数の被写体像が連続するコマとして撮影される。撮影された複数の被写体像は、制御部２の制御により、画像ファイルに変換されてバッファメモリ４に記憶される。バッファメモリ４に記憶された複数の画像ファイルは、記憶媒体インターフェイス回路１４を介して記憶媒体１５に記録される。制御部２は、シャッタ部９によるシャッタ幕の１回の開動作が行われている間に、撮像素子１０に被写体像を複数回撮影させる制御を行う撮影制御手段を構成している。
【００３２】
図２は、記憶媒体１５に記録される画像ファイル３０の構造を示す概念図である。
【００３３】
画像ファイル３０は、Ｅｘｉｆ（Exchangeable image file format）規格に基づいて、ヘッダ情報部３１および画像データ部３２から構成されている。画像データ部３２には、撮像素子１０により撮影されて制御部２によって画像処理された撮影画像が、主画像データとして記録されている。また、ヘッダ情報部３１は、サムネイル画像データなどの撮影情報が記録される撮影情報領域３１ａと、カメラメーカが独自の情報を自由に書き込むことができるメーカーノート領域３１ｂとから構成される。メーカーノート領域３１ｂには、画像データ部３２に記録されている主画像データが撮影されたときのシャッタ回数カウンタの値がシャッタ回数情報として記録されている。上述した高速連写撮影モードや、オートブラケット撮影モードでの撮影では、１回の撮影によって生成される複数の画像ファイル３０の各メーカーノート領域３１ｂに、撮影時における同一のシャッタ回数情報が記録される。また、通常の撮影では、各メーカーノート領域３１ｂに撮影時における異なるシャッタ回数情報が記録される。記憶媒体１５は、画像データ部３２に記憶された、撮像素子１０で通常撮影された被写体像の各画像データ、および撮影制御手段の制御によって撮像素子１０で高速撮影や露光制御撮影などされた複数の被写体像の各画像データに、各被写体像が撮影されたときにシャッタ回数計数手段によって計数されたシャッタ回数情報をヘッダ情報部３１に付した画像ファイル３０を記憶する記憶手段を構成している。
【００３４】
図３は、記憶媒体１５の内部のフォルダ構造を示す概念図である。
【００３５】
記憶媒体１５には、ＤＣＦ（Design rule for Camera File system）規格に基づいて画像ファイル３０が記録される。上述した画像ファイル３０は、ルートフォルダ（ＤＣＩＮ）４１の下に作成されるフォルダ４２，４３，…に格納される。各フォルダ４２，４３，…には、予め設定された所定数、例えば９９９９個の画像ファイル３０が格納される。最初のフォルダ４２に格納される画像ファイル３０が所定数に達すると、ルートフォルダ４１の下に新たに別のフォルダ４３が作成され、以後、画像ファイル３０は新たな別の図示しないフォルダに格納される。フォルダには、３桁の数字と任意の５桁の文字との組合わせからなるＤＣＦ規格に基づくフォルダ名が付される。本実施形態では、３桁の数字には、フォルダがルートフォルダ４１の下に作成される順番に従い、“100”から始まる連続したフォルダ番号が順に割り当てられる。５桁の文字には「NIKON」が割り当てられる。同図に示す例では、フォルダ４２には「100NIKON」のフォルダ名、フォルダ４３には「101NIKON」のフォルダ名が付されている。
【００３６】
各フォルダ４２，４３，…に格納される画像ファイル３０には、４桁の文字と４桁の数字との組合わせからなるＤＣＦ規格に基づくファイル名が付される。本実施形態では、４桁の文字には「DSC_」が割り当てられる。４桁の数字には、画像ファイル３０が生成される順番に従い、“0001”から始まる連続したファイル番号が順に割り当てられる。同図に示す例では、「DSC_0001.JPG」，「DSC_0002.JPG」，…，「DSC_9999.JPG」の各ファイル名が付されている。つまり、記憶媒体１５は、各画像ファイル３０に連続したファイル番号を付して記憶すると共に、所定数、例えば９９９９個の画像ファイル３０を１つのフォルダ４２，４３，…に記憶し、１つのフォルダ４２に記憶した画像ファイル３０が所定数に達すると、新たなフォルダ４３に画像ファイル３０を記憶する。
【００３７】
また、制御部２は、マルチセレクタ１９によって指定された任意の画像ファイル３０と同一のシャッタ回数情報が付された画像ファイル３０が複数ある場合、記憶媒体１５に記憶された複数の画像ファイル３０の中から同一のシャッタ回数情報が付された画像ファイル３０を検索する検索手段を構成している。また、制御部２は、この検索手段によって検索された同一のシャッタ回数情報が付された複数の画像ファイル３０に対して、一括して所定の画像処理を行う画像処理手段を構成している。本実施形態では、検索手段は、マルチセレクタ１９によって指定された任意の画像ファイル３０から、ファイル名に含まれるファイル番号が減少する方向および増加する方向に画像ファイル３０を検索し、指定された任意の画像ファイル３０に付されたシャッタ回数情報と異なるシャッタ回数情報が付された画像ファイル３０が検索されるまでの範囲の画像ファイル３０を、指定された任意の画像ファイル３０と同一のシャッタ回数情報が付された画像ファイル３０として検索する。また、検索手段は、異なるフォルダ４２，４３，…を跨って、指定された任意の画像ファイル３０と同一のシャッタ回数情報が付された画像ファイル３０を検索する。
【００３８】
図４は、記憶媒体１５に記憶された画像ファイル３０のヘッダ情報部３１に記録されたシャッタ回数情報と、画像ファイル３０が格納されるフォルダ４２，４３，…のフォルダ名と、画像ファイル３０のファイル名との間の対応関係の一例を表す図である。
【００３９】
同図に示すように、フォルダ名「100NIKON」のフォルダ４２内のファイル名「DSC_0001.JPG」の画像ファイル３０のヘッダ情報部３１には、シャッタ回数情報として“１”が記録されている。また、同フォルダ４２内のファイル名「DSC_0002.JPG」の画像ファイル３０のヘッダ情報部３１には、シャッタ回数情報として“２”が記録されている。また、同フォルダ４２内のファイル名「DSC_0003.JPG」〜「DSC_0007.JPG」の各画像ファイル３０のヘッダ情報部３１には、シャッタ回数情報として同一の“３”がそれぞれ記録されている。また、同フォルダ４２内のファイル名「DSC_0008.JPG」〜「DSC_0010.JPG」の各画像ファイル３０のヘッダ情報部３１には、シャッタ回数情報として同一の“４”がそれぞれ記録されている。また、同フォルダ内のファイル名「DSC_9998.JPG」および「DSC_9999.JPG」の各画像ファイル３０のヘッダ情報部３１、ならびに、フォルダ名「101NIKON」のフォルダ４３内のファイル名「DSC_0001.JPG」および「DSC_0002.JPG」の各画像ファイル３０のヘッダ情報部３１には、シャッタ回数情報として同一の“１０”がそれぞれ記録されている。
【００４０】
単一のファイル名にのみ存在するシャッタ回数情報“１”，“２”がヘッダ情報部３１に記録された各画像ファイル３０は、それぞれ通常撮影で記憶媒体１５に記録されたものである。また、複数のファイル名にわたって存在するシャッタ回数情報“３”や“４”、“１０”がヘッダ情報部３１に記録された各画像ファイル３０は、高速連写撮影モードやオートブラケット撮影モードで、１回のシャッタ部９のシャッタ幕の開動作で記憶媒体１５に記録されたものであり、同じシャッタ回数情報が記録された各画像ファイル３０は相互に関連しているものである。
【００４１】
図５は、記憶媒体１５に記録された画像ファイル３０の一括削除が行われる際に、制御部２によって行われるファイル一括削除処理の概略を示すフローチャートである。
【００４２】
背面モニタ１６に再生された撮影画像の画像ファイルがマルチセレクタ１９の操作により指定されて、削除ボタン２０が操作されたことが検出されると、制御部２は、図５，Ｓ１において、削除ファイル情報を取得する。削除ファイル情報は、削除対象となる画像ファイル３０の種類を示すファイルＹの情報、およびファイルＹが格納されているフォルダ４２，４３，…の種類を示すフォルダＸの情報である。続いて、制御部２は、Ｓ２において、フォルダＸに格納されるファイルＹのヘッダ情報部３１に記録されている、シャッタ幕のシャッタ回数情報Ｓを取得する。
【００４３】
次に、制御部２は、Ｓ３において、前方探索処理を行う。前方探索処理では、削除対象となったファイルＹの記憶アドレス位置から、画像ファイル３０のファイル名に含まれるファイル番号が減少する方向に、ヘッダ情報部３１に記録されているシャッタ回数情報ＳがファイルＹと同じ値から異なる値になるまで、画像ファイル３０が検索される。この検索により、ファイルＹと同一のシャッタ回数情報Ｓが記録された画像ファイル３０の中で先頭に位置するファイルＹｓ、およびこのファイルＹｓが属するフォルダＸｓが検索される。例えば、図４に示す例で、「100NIKON」のフォルダ４２内の「DSC_0005.JPG」のファイル名を持つ画像ファイル３０が削除対象のファイルＹとして指定されると、この前方探索処理により、フォルダ４２内の同一のシャッタ回数情報“３”が記録された最もファイル番号の小さい先頭の「DSC_0003.JPG」の画像ファイル３０が、ファイルＹｓとして検索されると共に、「100NIKON」のフォルダ４２がフォルダＸｓとして検索される。
【００４４】
上記のファイルＹｓの前方探索は、最初に、ファイルＹが格納されているフォルダＸに対して行われるが、フォルダＸ内の最も小さいファイル番号の画像ファイル３０に同一のシャッタ回数情報Ｓが記録されており、異なるシャッタ回数情報Ｓが記録されている画像ファイル３０が検索されない場合には、フォルダＸよりも前に作成されたフォルダ番号の一つ小さいフォルダに対しても、同様な検索が行われる。例えば、図４に示す例で、「101NIKON」のフォルダ４３内の「DSC_0001.JPG」の画像ファイル３０が削除対象のファイルＹとして選択されると、上記Ｓ３の前方探索処理により、フォルダ４３の一つ前に作成された「100NIKON」のフォルダ４２内の同一のシャッタ回数情報“１０”が記録された画像ファイル３０のうち、最もファイル番号の小さい「DSC_9998.JPG」の画像ファイル３０が、ファイルＹｓとして検索されると共に、「100NIKON」のフォルダ４２がフォルダＸｓとして検索される。
【００４５】
次に、制御部２は、Ｓ４において、後方探索処理を行う。後方探索処理では、削除対象となったファイルＹの記憶アドレス位置からファイル番号が増加する方向に、ヘッダ情報部３１に記録されているシャッタ回数情報ＳがファイルＹと同じ値から異なる値になるまで、画像ファイル３０が検索される。この検索により、ファイルＹと同一のシャッタ回数情報Ｓが記録された画像ファイル３０の中で最後尾に位置するファイルＹｅ、およびこのファイルＹｅが属するフォルダＸｅが検索される。例えば、図４に示す例で、「100NIKON」のフォルダ４２内の「DSC_0005.JPG」のファイル名を持つ画像ファイル３０が削除対象のファイルＹとして選択されると、この後方探索処理により、フォルダ４２内の同一のシャッタ回数情報“３”が記録された最もファイル番号の大きい最後尾の「DSC_0007.JPG」の画像ファイル３０が、ファイルＹｅとして検索されると共に、「100NIKON」のフォルダ４２がフォルダＸｅとして検索される。
【００４６】
上記のファイルＹｅの後方探索も、最初にフォルダＸに対して行われるが、フォルダＸ内の最も大きいファイル番号の画像ファイル３０に同一のシャッタ回数情報Ｓが記録されており、異なるシャッタ回数情報Ｓが記録されている画像ファイル３０が検索されない場合には、フォルダＸよりも後に作成されたフォルダ番号の一つ大きいフォルダに対しても、同様な検索が行われる。例えば、図４に示す例で、フォルダ４２内の「DSC_9999.JPG」の画像ファイルが削除対象のファイルＹとして選択されると、上記Ｓ４の後方探索処理により、フォルダ４２の一つ後に作成された「101NIKON」のフォルダ４３内の同一のシャッタ回数情報“１０”が記録された画像ファイルのうち、最もファイル番号の大きい「DSC_0002.JPG」の画像ファイルが、ファイルＹｅとして検索されると共に、「101NIKON」のフォルダ４３がフォルダＸｅとして検索される。
【００４７】
Ｓ３およびＳ４の上記各処理では、記憶媒体１５内で、ある画像ファイル３０が削除されていてファイル番号の連続性が失われている場合であっても、異なるシャッタ回数情報Ｓが記録されている画像ファイル３０が検索されるまで、ファイルＹの前方および後方への検索が行われる。
【００４８】
Ｓ３の前方探索処理およびＳ４の後方探索処理が終了すると、続いて、制御部２は、Ｓ５において、Ｓ３の処理で検索されたフォルダＸｓに格納されるファイルＹｓから、Ｓ４の処理で検索されたフォルダＸｅに格納されるファイルＹｅまでの範囲の全ての画像ファイルに対して、一括して削除するグループ削除処理を行う。Ｓ５の処理が終了すると、ファイル一括削除処理は終了する。
【００４９】
このような本実施形態によるデジタルカメラ１によれば、撮像素子１０により通常撮影された被写体像の各主画像データに、各被写体像が撮影されたときにシャッタ回数計数手段によって計数された異なるシャッタ回数情報Ｓを図２に示したように付した画像ファイル３０が、記憶媒体１５に記憶される。また、シャッタ部９によるシャッタ幕の１回の開動作が行われる間に撮影制御手段の制御によって高速連写撮影や露光制御撮影された複数の被写体像の各主画像データに、各被写体像が撮影されたときにシャッタ回数計数手段によって計数された同一のシャッタ回数情報Ｓを図２に示したように付した画像ファイル３０が、記憶媒体１５に記憶される。本実施形態では、同一のシャッタ回数情報Ｓが付された複数の画像ファイル３０は、図４に示すように、連続したファイル番号を含むファイル名が付されて、記憶媒体１５に記録される。記憶媒体１５に記録された複数の画像ファイル３０の中から任意の画像ファイルＹがマルチセレクタ１９により指定された場合、指定された任意の画像ファイルＹと同一のシャッタ回数情報Ｓが付された画像ファイル３０が複数あると、図５，Ｓ３およびＳ４の処理で、検索手段により、指定された任意の画像ファイルＹからファイル番号が減少する方向および増加する方向に画像ファイル３０が検索され、指定された任意の画像ファイルＹに付されたシャッタ回数情報Ｓと異なるシャッタ回数情報Ｓが付された画像ファイル３０が検索される、ファイルＹｓからファイルＹｅまでの範囲の画像ファイル３０が、指定された任意の画像ファイルＹと同一のシャッタ回数情報Ｓが付された画像ファイル３０として検索される。検索されたこれら複数の画像ファイル３０は、Ｓ５の処理で、画像処理手段により、一括してグループ削除される。
【００５０】
このため、シャッタ幕の１回の開動作が行われる間に撮影制御手段の制御によって高速連写撮影された、または、段階的に露光値が変化させられて撮影された関連性のある複数の画像ファイル３０の検索を、各画像ファイル３０に付されたシャッタ回数情報Ｓを参照して行うことが可能となる。従って、従来の撮影装置のように、画像ファイル３０とは別にグループ情報リストを記録しておく必要がなくなる。この結果、従来の撮影装置のように、画像ファイル３０と別に記録されるグループ情報リストがなければ、関連性のある画像ファイル３０の検索やグループ削除処理を行えなくなってしまう不都合は、生じないようになる。また、画像ファイル３０を記憶媒体１５に記録する際、従来の撮影装置のように、画像ファイル３０に関する情報をグループ情報リストに別途に登録する処理は必要ないため、画像ファイル３０を記憶媒体１５に記録する処理を高速化でき、撮影制御手段の制御によって短時間により多くの被写体像を撮影手段に撮影させることが可能になる。
【００５１】
また、本実施形態では、同一のシャッタ回数情報Ｓが付された複数の画像ファイル３０が記憶媒体１５によって「100NIKON」の１つのフォルダ４２に記憶される際、このフォルダ４２に記憶された画像ファイル数が９９９９個の所定数に達すると、図４に示すように、同一のシャッタ回数情報Ｓが付された残りの画像ファイル３０は新たな「101NIKON」のフォルダ４３に記憶される。これらフォルダ４２，４３に跨って記憶媒体１５に記憶された同一のシャッタ回数情報Ｓが付された複数の画像ファイル３０の中から、任意の画像ファイルＹがマルチセレクタ１９により指定されると、図５，Ｓ３またはＳ４の処理で、検索手段により、異なるフォルダ４２，４３を跨って、同一のシャッタ回数情報Ｓが付された画像ファイル３０が検索される。このため、複数のフォルダ４２，４３に跨って同一のシャッタ回数情報Ｓが付された画像ファイル３０が記憶されている場合であっても、検索手段により、マルチセレクタ１９によって指定された任意の画像ファイルＹと同一のシャッタ回数情報Ｓが付された画像ファイル３０が各フォルダ４２，４３を跨って漏れなく検索される。
【００５２】
なお、上記実施形態では、図５，Ｓ３およびＳ４の処理で検索手段によって検索されたファイルＹｓからファイルＹｅまでの複数の画像ファイル３０に対して、Ｓ５で、一括してグループ削除が行われる場合を説明したが、本発明はこれに限られるものではなない。検索手段によって検索されたファイルＹｓからファイルＹｅまでの複数の画像ファイル３０に対して、画像処理手段により、一括して削除以外の所定の画像処理が行われる構成とすることも可能である。例えば、検索手段によって検索された複数の画像ファイル３０に対して、複製（コピー）やファイル移動を一括して行ったり、赤目補正や色補正などの画像処理を一括して行うようにすることも可能である。また、検索手段によって検索された複数の画像ファイル３０を用いて動画を作成することも可能である。
【００５３】
また、上記実施形態では、記憶媒体１５が、各画像ファイル３０に連続したファイル番号を付して記憶し、図５，Ｓ３およびＳ４の処理で、検索手段が、マルチセレクタ１９によって指定された任意の画像ファイルＹからファイル番号が減少する方向および増加する方向に画像ファイル３０を検索する場合を説明したが、本発明はこれに限られるものではない。例えば、記憶媒体１５が、各画像ファイル３０のヘッダ情報部３１に撮影日時情報を付して記憶し、検索手段が、マルチセレクタ１９によって指定された任意の画像ファイル３０から撮影日時を遡る方向および撮影日時が経過する方向に画像ファイル３０を検索する構成とすることも可能である。
【００５４】
この構成によれば、シャッタ幕の１回の開動作が行われる間に撮影制御手段の制御によって撮影されて同一のシャッタ回数情報Ｓが付された複数の画像ファイル３０は、撮影日時情報が付されて、記憶媒体１５に記録される。記憶媒体１５に記録された複数の画像ファイル３０の中から任意の画像ファイルＹがマルチセレクタ１９により指定された場合、指定された任意の画像ファイルＹと同一のシャッタ回数情報Ｓが付された画像ファイル３０が複数あると、検索手段により、指定された任意の画像ファイルＹから撮影日時を遡る方向および撮影日時が経過する方向に画像ファイル３０が検索され、指定された任意の画像ファイルＹに付されたシャッタ回数情報Ｓと異なるシャッタ回数情報Ｓが付された画像ファイル３０が検索されるまでの範囲の画像ファイル３０が、指定された任意の画像ファイルＹと同一のシャッタ回数情報Ｓが付された画像ファイル３０として検索される。また、撮影日時情報を用いる本構成によれば、ファイル番号の連続性を用いなくても画像ファイル３０の検索を行えるため、例えば、コンピュータなどで、画像ファイル３０のファイル名が変更されてしまった場合であっても、同一のシャッタ回数情報Ｓが付された画像ファイル３０を検索することが可能となる。
【００５５】
また、記憶媒体１５が、ファイル番号や撮影日時情報と共に、デジタルカメラ１の機種名や個体識別番号（シリアルナンバー）を各画像ファイル３０のヘッダ情報部３１などに付して記録する構成としてもよい。この構成によれば、記憶媒体１５内に、異なる他の機種のデジタルカメラや同一機種であっても異なるデジタルカメラなどを用いて撮影された複数の画像ファイル３０が混在している場合であっても、ヘッダ情報部３１に記録される機種名や個体識別番号を用いることで、特定のデジタルカメラの画像ファイル３０だけを検索できるようになる。この結果、他機種で撮影された意図しない画像ファイル３０が誤って検索されてしまうことが防止されるようになり、画像ファイル３０の検索精度を向上させることができる。
【００５６】
また、上記実施形態では、画像ファイル３０のヘッダ情報部３１にシャッタ回数情報Ｓが記録され、同一のシャッタ回数情報Ｓが記録された画像ファイル３０に対して、一括して所定の画像処理が行われる場合を説明したが、本発明はこれに限られるものではない。例えば、画像ファイル３０のヘッダ情報部３１に、撮影者によるシャッタボタン１８の操作回数を示すレリーズ操作回数情報を記録し、同一のレリーズ操作回数情報が記録された画像ファイル３０に対して、一括して所定の画像処理が行われる構成とすることも可能である。
【００５７】
また、上記実施形態では、フォルダ４２，４３，…に格納される画像ファイル３０の数が、最大で９９９９個である場合を説明したが、格納される画像ファイル３０の数は、例えば最大で９９９個であってもよく、適宜変更可能である。
【００５８】
また、上記実施形態では、削除ボタン２０をデジタルカメラ１に備え、撮影された複数の画像ファイル３０の中の一の画像ファイル３０に対して削除ボタン２０による削除操作が行われると、図５，Ｓ５の処理で、複数の画像ファイル３０に対して一括してグループ削除が行われる場合を説明したが、本発明はこれに限られるものではない。例えば、削除ボタン２０をデジタルカメラ１に備えず、メニュー画面において、撮影された関連性のある複数の画像ファイル３０を一括して削除させるメニュー項目が選択されると、画像ファイル３０のグループ削除が行われる構成とすることも可能である。
【００５９】
また、上記実施形態では、複数の画像ファイル３０に対する一括したグループ削除処理などがデジタルカメラ１内部で行われる場合を説明したが、例えば、記憶媒体１５に記録された画像ファイル３０が転送されたコンピュータ内で行わせることも可能である。
【００６０】
例えば、コンピュータを、
デジタルカメラ１の撮像素子１０で通常撮影された被写体像の各画像データ、およびデジタルカメラ１のシャッタ幕の１回の開動作が行われている間に高速連写撮影モードやオートブラケット撮影モードなどで撮像素子１０で撮影された複数の被写体像の各画像データに、各被写体像が撮影されたときにデジタルカメラ１のシャッタ回数計数手段によって計数されたシャッタ回数情報Ｓを図２に示すように付した画像ファイル３０を記憶する記憶手段と、
この記憶手段に記憶された複数の画像ファイル３０の中から任意の画像ファイルＹをキーボードなどからの入力信号に応じて指定する指定手段と、
この指定手段によって指定された任意の画像ファイルＹと同一のシャッタ回数情報Ｓが付された画像ファイル３０が複数ある場合、記憶手段に記憶された複数の画像ファイル３０の中から同一のシャッタ回数情報Ｓが付された画像ファイル３０を検索する検索手段と、
この検索手段によって検索された同一のシャッタ回数情報Ｓが付された複数の画像ファイル３０に対して、一括して所定の画像処理を行う画像処理手段と
して機能させるプログラムを構成することも可能である。
【００６１】
上記のプログラムによれば、デジタルカメラ１の撮像素子１０により通常撮影された被写体像の各主画像データに、各被写体像が撮影されたときにデジタルカメラ１のシャッタ回数計数手段によって計数された異なるシャッタ回数情報Ｓを付した図２に示す画像ファイル３０が、コンピュータの記憶手段に記憶される。また、デジタルカメラ１のシャッタ幕の１回の開動作が行われる間に高速連写撮影モードやオートブラケット撮影モードなどで撮像素子１０で撮影された複数の被写体像の各画像データ３０に、各被写体像が撮影されたときにデジタルカメラ１のシャッタ回数計数手段によって計数された同一のシャッタ回数情報Ｓを付した図２に示す画像ファイル３０が、コンピュータの記憶手段に記憶される。この記憶手段に記憶された複数の画像ファイル３０の中から任意の画像ファイルＹがコンピュータの指定手段により指定された場合、指定された任意の画像ファイルＹと同一のシャッタ回数情報Ｓが付された画像ファイル３０が複数あると、コンピュータの検索手段により、記憶手段に記憶された画像ファイル３０の中から同一のシャッタ回数情報Ｓが付された複数の画像ファイル３０が検索される。検索された画像ファイル３０は、コンピュータの画像処理手段により、一括して所定の画像処理が行われる。このため、デジタルカメラ１からの画像ファイルの転送などによって画像ファイル３０が記憶されたコンピュータにおいても、シャッタ幕の１回の開動作が行われる間に撮影された複数の画像ファイル３０の検索を、各画像ファイル３０に付されたシャッタ回数情報Ｓを参照して行うことが可能となる。従って、従来のように、画像ファイル３０とは別にグループ情報リストを記録しておく必要がなくなる。この結果、コンピュータにおいても、画像ファイル３０と別に記録されるグループ情報リストがなければ、関連性のある画像ファイル３０の検索や一括処理を行えなくなってしまう不都合は、生じないようになる。
【００６２】
また、上記プログラムにおいて、
記憶手段が、図４に示すように、各画像ファイル３０に連続したファイル番号を付して記憶し、
検索手段が、指定手段によって指定された任意の画像ファイルＹからファイル番号が減少する方向および増加する方向に画像ファイル３０を検索し、任意の画像ファイル３０に付されたシャッタ回数情報Ｓと異なるシャッタ回数情報Ｓが付された画像ファイル３０が検索されるまでの範囲の画像ファイル３０を、任意の画像ファイルＹと同一のシャッタ回数情報Ｓが付された画像ファイル３０として検索するように構成してもよい。
【００６３】
この構成によれば、シャッタ幕の１回の開動作が行われる間に撮影されて同一のシャッタ回数情報Ｓが付された複数の画像ファイル３０は、図４に示すように、連続したファイル番号が付されて、コンピュータの記憶手段に記憶される。記憶された複数の画像ファイル３０の中から任意の画像ファイルＹが、コンピュータの指定手段により指定された場合、指定された任意の画像ファイルＹと同一のシャッタ回数情報Ｓが付された画像ファイル３０が複数あると、コンピュータの検索手段により、図５，Ｓ３およびＳ４に示すように、指定された任意の画像ファイルＹからファイル番号が減少する方向および増加する方向に画像ファイル３０が検索され、指定された任意の画像ファイルＹに付されたシャッタ回数情報Ｓと異なるシャッタ回数情報Ｓが付された画像ファイル３０が検索される、ファイルＹｓからファイルＹｅまでの範囲の画像ファイル３０が、指定された任意の画像ファイルＹと同一のシャッタ回数情報Ｓが付された画像ファイル３０として検索される。
【００６４】
また、上記プログラムにおいて、
記憶手段が、各画像ファイル３０に撮影日時情報を付して記憶し、
検索手段が、指定手段によって指定された任意の画像ファイルＹから撮影日時を遡る方向および撮影日時が経過する方向に画像ファイル３０を検索し、任意の画像ファイルＹに付されたシャッタ回数情報Ｓと異なるシャッタ回数情報Ｓが付された画像ファイル３０が検索されるまでの範囲の画像ファイル３０を、任意の画像ファイルＹと同一のシャッタ回数情報Ｓが付された画像ファイル３０として検索するように構成してもよい。
【００６５】
この構成によれば、シャッタ幕の１回の開動作が行われる間に撮影されて同一のシャッタ回数情報Ｓが付された複数の画像ファイル３０は、撮影日時情報が付されて、コンピュータの記憶手段に記憶される。記憶された複数の画像ファイル３０の中から任意の画像ファイルＹが、コンピュータの指定手段により指定された場合、指定された任意の画像ファイルＹと同一のシャッタ回数情報Ｓが付された画像ファイル３０が複数あると、コンピュータの検索手段により、指定された任意の画像ファイルＹから撮影日時を遡る方向および撮影日時が経過する方向に画像ファイル３０が検索され、指定された任意の画像ファイルＹに付されたシャッタ回数情報Ｓと異なるシャッタ回数情報Ｓが付された画像ファイル３０が検索されるまでの範囲の画像ファイル３０が、指定された任意の画像ファイルＹと同一のシャッタ回数情報Ｓが付された画像ファイル３０として検索される。
【００６６】
また、上記プログラムにおいて、
記憶手段が、図４に示すように、所定数の画像ファイル３０を１つのフォルダ４２に記憶し、１つのフォルダ４２に記憶した画像ファイル数が所定数に達すると、新たなフォルダ４３に画像ファイル３０を記憶し、
検索手段が、図５，Ｓ３およびＳ４で説明したように、異なるフォルダ４２，４３を跨って任意の画像ファイルＹと同一のシャッタ回数情報Ｓが付された画像ファイル３０を検索するように構成してもよい。
【００６７】
この構成によれば、同一のシャッタ回数情報Ｓが付された複数の画像ファイル３０がコンピュータの記憶手段によって１つのフォルダ４２に記憶される際、このフォルダ４２に記憶された画像ファイル数が所定数に達すると、同一のシャッタ回数情報Ｓが付された残りの画像ファイル３０は新たなフォルダ４３に記憶される。これらフォルダ４２，４３に跨ってコンピュータの記憶手段に記憶された同一のシャッタ回数情報Ｓが付された複数の画像ファイル３０の中から、任意の画像ファイルＹがコンピュータの指定手段により指定されると、コンピュータの検索手段により、異なるフォルダ４２，４３を跨って、同一のシャッタ回数情報Ｓが付された画像ファイル３０が検索される。このため、複数のフォルダ４２，４３に跨って同一のシャッタ回数情報Ｓが付された画像ファイル３０がコンピュータの記憶手段に記憶されている場合であっても、検索手段により、指定手段によって指定された任意の画像ファイルＹと同一のシャッタ回数情報Ｓが付された画像ファイル３０が各フォルダ４２，４３を跨って漏れなく検索される。
【産業上の利用可能性】
【００６８】
上記実施形態においては、本発明による撮影装置をデジタルカメラに適用した場合について説明したが、シャッタ幕の１回の開動作が行われている間に撮像手段に被写体像を複数回撮影させる機能を備えたカメラ付き携帯電話機などの種々の撮影装置に本発明を適用することも可能である。このような撮影装置に本発明を適用した場合においても、上記実施形態と同様の作用効果が奏される。
【図面の簡単な説明】
【００６９】
【図１】本発明の最良の実施の形態によるデジタルカメラの構成の概略を示すブロック図である。
【図２】図１に示すデジタルカメラで撮影された画像ファイルの構造を示す概念図である。
【図３】図１に示すデジタルカメラで撮影された画像ファイルが記録される記憶媒体内部のフォルダ構造を示す概念図である。
【図４】図１に示すデジタルカメラで撮影された画像ファイルが記録される記憶媒体内部における、画像ファイルのヘッダ情報部に記録されたシャッタ回数情報と、画像ファイルが格納されるフォルダのフォルダ名と、画像ファイルのファイル名との関係の一例を表す図である。
【図５】図１に示すデジタルカメラの制御部によって行われるファイル一括削除処理の概略を示すフローチャートである。
【符号の説明】
【００７０】
１…デジタルカメラ
２…制御部
３…フラッシュメモリ
９…シャッタ部
１０…撮像素子
１０ａ…撮像面
１２…タイミングジェネレータ（ＴＧ）
１３…信号処理部
１４…記憶媒体インターフェイス（Ｉ／Ｆ）回路
１５…記憶媒体
１６…背面モニタ
１７…ＰＣインターフェイス（Ｉ／Ｆ）回路
１８…シャッタボタン
１９…マルチセレクタ
２０…削除ボタン
３０…画像ファイル
３１…ヘッダ情報部
３１ａ…撮影情報領域
３１ｂ…メーカーノート領域
３２…主画像データ部
４１…ルートフォルダ
４２，４３…フォルダ
【図１】
2010193137.tif 000003
【図２】
2010193137.tif 000004
【図３】
2010193137.tif 000005
【図４】
2010193137.tif 000006
【図５】
2010193137.tif 000007